(57)【特許請求の範囲】
【請求項１】
前後に延びる操作棹と、該操作棹の前端側に設置されモータによって駆動される刈刃部と、該操作棹の中間部に左右方向に延びて配置されるハンドルと、を備え、該ハンドルの端部に取り付けられる把持部に該モータを起動するトリガーレバーを設けた刈払機において、該把持部は、該トリガーレバーが配置されるグリップと該トリガーレバーを取り囲むように形成された保護部とからＤ字状を呈して構成され、該保護部に表示面が作業者側を向いた表示部を形成することを特徴とする刈払機。
【発明の詳細な説明】
【技術分野】
【０００１】
本発明はハンドルの把持部に刈払機を駆動するモータを起動するトリガーレバーを設けた刈払機に関するものである。
【背景技術】
【０００２】
従来から、芝や雑草等の草葉を刈るのに用いられる装置として特許文献１に開示のような刈払機が知られている。こうした刈払機に関して、本出願人も特願２００９−２４２９０６により既に提案している。この出願の刈払機では、ハンドルの一端に把持部が設けられ、該把持部はグリップと保護部から主に構成され、グリップには該刈払機を起動停止するトリガーレバーが設けられ、該保護部の上部（ハンドルの先端側）には表示部があり、バッテリーの残容量等の表示がなされている。
【先行技術文献】
【特許文献】
【０００３】
【特許文献１】特許第４０７１２４２号公報
【発明の概要】
【発明が解決しようとする課題】
【０００４】
しかし、この出願の刈払機では、表示部が保護部の上部の表面（側面）に設けられているので、作業者から見て必ずしも視認しやすい角度ではなく表示内容を視認するために若干の時間を要するという欠点があった。
【０００５】
本発明は、上記の問題を解決するものであり、作業者にとって視認しやすい表示部を備えた刈払機を提供するものである。
【課題を解決するための手段】
【０００６】
上記の目的を達成するために、前後に延びる操作棹と、該操作棹の前端側に設置されモータによって駆動される刈刃部と、該操作棹の中間部に左右方向に延びて配置されるハンドルと、を備え、該ハンドルの端部に取り付けられる把持部に該モータを起動するトリガーレバーを設けた刈払機において、該把持部は、該トリガーレバーが配置されるグリップと該トリガーレバーを取り囲むように形成された保護部とからＤ字状を呈して構成され、該保護部に表示面が作業者側を向いた表示部を形成する構成とした。
【発明の効果】
【０００８】
本発明によれば、上記の構成としたので、把持部に設けられた表示部が作業者にとって見やすく、表示内容を瞬時に視認できる刈払機を提供することが可能となる。
【図面の簡単な説明】
【０００９】
【図１】本発明にかかる刈払機の全体構成を説明するための外観図である。
【図２】把持部の正面図である。
【図３】図２におけるＡ−Ａ矢視断面図である。
【図４】把持部の斜視図である。
【発明を実施するための形態】
【００１０】
以下、本発明を実施するための好適な実施形態について、図面に基づいて説明する。
【００１１】
以下の説明では、説明の便宜のために刈払機１０の使用状態に応じた方向を定義することとする。すなわち、図１にて図示するように、刈刃部１３が設置される側を「前」、駆動部１１側を「後」、把持部２０側を「右」、左グリップ２１側を「左」と呼ぶこととする。
【００１２】
本実施形態に係る刈払機１０は、長手方向に延びる軸体形状にて形成される操作棹１２と、操作棹１２の一端側である前側に設置される刈刃部１３と、操作棹１２の他端側である後側に設置されるとともに、ハウジング１１ａの内部に駆動源としての図示しないモータとバッテリーを備える駆動部１１と、操作棹１２の長手方向の中間部に設置されるハンドル１４とを備えている。
【００１３】
操作棹１２は、中空棒状のパイプ部材により構成されており、その内部には、不図示の従動軸が回転自在な状態にて内蔵されている。操作棹１２の前側先端には刈刃部１３が取り付けられており、刈刃部１３のホルダ１３ａには外周面に複数の鋸刃状の刃部が形成された円板状をした金属製の不図示の刈刃を回転自在に取り付けることが可能となっている。ホルダ１３ａは従動軸の回転運動に応じて回転し、草葉等の刈払いを実施できるようになっている。また、刈刃の後方直近部には、刈刃の一部を覆うように防護カバー１３ｂが設けられており、刈払い時に発生する飛散物の後方への飛散を防ぐことで、作業者の安全が確保されている。なお、刈刃については、円板状をした金属製のものに代えて、セラミックス製のものや、回転中心から放射状に延びる複数本の紐からなるものなど、あらゆる形式の刈刃を採用することが可能となっている。
【００１４】
図１乃至図４に示すように、ハンドル１４には、把持部２０と左グリップ２１が取り付けられている。把持部２０にはモータを起動するトリガーレバー２２が配置され、不図示の配線コードによってハウジング１１ａ内のモータを制御すべく配線されている。１５は図示しない肩掛けベルトを取付けることのできるホックである。
【００１５】
グリップ２０ａ、保護部２０ｂで一体に構成される把持部２０は、樹脂等で成形された半割り部材を重ね合わせ、通常金属で作られるハンドル１４の先端に図示しないボルト等で取り付けられている。
【００１６】
グリップ２０ａにはトリガーレバー２２が配置され、グリップ２０ａとトリガーレバー２２とを手で握り締めることにより、トリガーレバー２２は不図示のスプリングに抗してグリップ２０ａ内へ入り込み、グリップ２０ａ内部の不図示のマイクロスイッチをオンするよう構成されている。マイクロスイッチは不図示の配線コードによりハウジング１１ａ内の不図示のモータコントローラに接続されており、マイクロスイッチのオンによりモータが始動するよう構成されている。２６はロックボタンであり、トリガーレバー２２を誤って作業者が操作してしまわないようにトリガーレバー２２の動きを規制しており、指で押し込むことにより規制を解除することができるようになっている。
【００１７】
正面視Ｃ字状の保護部２０ｂは、トリガーレバー２２が不用意に枝葉に触れて作動しないよう、トリガーレバー２２が作動する平面Ｓ上でトリガーレバー２２を取り囲むように形成され、保護部２０ｂとグリップ２０ａで正面視Ｄ字状を呈している。保護部２０ｂのＣ字状の略中央部分に表示部２４が設けられている。表示部２４の表示面２４ａは作業者が視認しやすいよう作業者側に向いて形成されている。即ち、表示面２４ａは平面Ｓに略垂直な面上にあり、保護部２０ｂの上記中央部においてグリップ２０ａ側に向いて設けられている。表示面２４ａには発光ダイオード（ＬＥＤ１乃至ＬＥＤ５）が設けられ、ＬＥＤ１はモータに負荷がかかったときに点灯し、ＬＥＤ２はバッテリーの温度が一定以上に上昇すると点灯し、ＬＥＤ３乃至５はバッテリーの残容量によって点灯するが、これらは不図示の配線コードによって接続されたハウジング１１ａ内のモータコントローラによって制御され表示される。
【００１８】
以上のように構成された刈払機１０で草刈り作業を行う場合には、作業者は、ホック１５に取付けられた図示しない肩掛けベルトを肩に掛け回すとともに、ハンドル１４が備える把持部２０と左グリップ２１を両手で把持することにより、刈払機１０を自在に操ることが可能となる。
【００１９】
次にモータを起動して刈刃を回転させるのであるが、そのためには、作業者は手で把持部２０のグリップ２０ａを握り、ロックボタン２６を親指で押し込み、次いでグリップ２０ａとトリガーレバー２２を同時に握り締めればよい。トリガーレバー２２は作業者の握力によってスプリングの付勢力に抗してグリップ２０ａ内へ移動し、マイクロスイッチをオンさせるので、モータに電流が流れ刈刃が回転を始める。
【００２０】
作業中に作業者がバッテリーの残容量やモータの状態を確認したい場合は、把持部２０に設けられた表示部２４を見ればよく、表示部２４の表示面２４ａが作業者に向いて設けられているので、表示内容を瞬時に視認することができ便利である。
【００２１】
本発明による刈払機は、上述した実施の形態に限定されず、特許請求の範囲に記載した範囲で種々の変形や改良が可能である。例えば、本実施の形態では、表示部２４は保護部２０ｂの左側に少し突出した形状となっているが必ずしも突出する必要はない。
【符号の説明】
【００２２】
１０  刈払機、１１  駆動部、１１ａ  ハウジング、１２  操作棹、１３  刈刃部、１３ａ  ホルダ、１３ｂ  防護カバー、１４  ハンドル、１５  ホック、２０  把持部、２０ａ  グリップ、２０ｂ  保護部、２１  左グリップ、２２  トリガーレバー、２４  表示部、２４ａ  表示面
【図１】
0005752435.tif 000002
【図２】
0005752435.tif 000003
【図３】
0005752435.tif 000004
【図４】
0005752435.tif 000005